(57)【要約】【課題】アンテナ装置の小型化ならびに当該アンテナ装置を搭載した携帯無線電話端末装置の小型化への大きな妨げになることなく、且つ伝送品質を損なうことなく、人体頭部への電磁波放射を低減すること。【解決手段】携帯無線電話端末装置１００はアンテナ装置１０１および送受信部１０２を備える。アンテナ装置１０１は、第１アンテナ１０３および第２アンテナ１０４と、第１アンテナ１０３および第２アンテナ１０４の中から無線送受信に使用するアンテナを選択する選択手段１０５と、選択手段１０５のアンテナ選択動作を制御する制御手段１０６と、送受信部１０２の音声通話状態をアンテナ装置１０１が人体頭部に近接していることとして検出し且つ制御手段１０６に識別信号を送出する音声通話識別手段１０７と、有する。制御手段１０６は、人体頭部に吸収される電磁波の電力量が所定の基準電力量よりも小さいアンテナを選択するように選択手段１０５へ制御信号を送出する。【選択図】図１
2006180193.tif 000002
【特許請求の範囲】
【請求項１】
携帯無線通信装置に搭載可能なアンテナ装置であって、
複数のアンテナからなるアンテナ群と、
前記アンテナ群の中から無線送受信に使用するアンテナを選択する選択手段と、
前記選択手段のアンテナ選択動作を制御する制御手段と、
前記アンテナ装置が人体頭部に近接しているかどうかを識別する識別手段と、
を備え、
前記制御手段が、前記識別手段による識別結果に基づいて、前記選択手段が前記使用するアンテナを選択するように前記選択手段へ制御信号を送出するアンテナ装置。
【請求項２】
請求項１記載のアンテナ装置であって、
前記アンテナ群は、前記人体頭部に吸収される電磁波の電力量が所定の基準電力量よりも小さいアンテナを少なくとも一つ含み、
前記制御手段は、前記アンテナ装置が前記人体頭部に近接していることが前記識別手段により識別された際、前記人体頭部に吸収される電磁波の電力量が所定の基準電力量よりも小さいアンテナを選択するように前記選択手段へ制御信号を送出するアンテナ装置。
【請求項３】
請求項２記載のアンテナ装置が、
前記選択手段により選択されたアンテナによる信号の受信電力レベルを測定する測定手段と、
前記測定手段による受信電力レベルの測定結果を記憶する記憶手段と、
を更に備え、
前記制御手段は、前記アンテナ装置が前記人体頭部に近接していることが前記識別手段により識別された際、前記人体頭部に吸収される電磁波の電力量が所定の基準電力量よりも小さいアンテナの中から、前記記憶手段に記憶された測定結果において最も受信電力レベルの高いアンテナを選択するように前記選択手段へ制御信号を送出するアンテナ装置。
【請求項４】
請求項２または３記載のアンテナ装置であって、
前記識別手段は、前記使用するアンテナと電気的に接続され且つ当該アンテナを介して信号の無線送受信を行なう前記携帯無線通信装置の送受信部が音声通話状態であることを、前記アンテナ装置が前記人体頭部に近接していることとして検出するとともに前記制御手段に識別信号を送出し、そして前記制御手段が、その識別信号に従い前記人体頭部に吸収される電磁波の電力量が所定の基準電力量よりも小さいアンテナを選択するように前記選択手段へ制御信号を送出するアンテナ装置。
【請求項５】
請求項２または３記載のアンテナ装置と、
前記使用するアンテナと電気的に接続され且つ当該アンテナを介して信号の無線送受信を行なう送受信部と、
を備えた携帯無線通信装置。
【請求項６】
請求項５記載の携帯無線通信装置であって、
前記識別手段は、前記送受信部が音声通話状態であることを、前記携帯無線通信装置が前記人体頭部に近接していることとして検出するとともに前記制御手段に識別信号を送出し、そして前記制御手段が、その識別信号に従い前記人体頭部に吸収される電磁波の電力量が所定の基準電力量よりも小さいアンテナを選択するように前記選択手段へ制御信号を送出する携帯無線通信装置。
【請求項７】
請求項５または６記載の携帯無線通信装置である携帯無線電話端末装置。
【発明の詳細な説明】
【技術分野】
【０００１】
本発明は、携帯無線通信装置に搭載可能なアンテナ装置、および該アンテナ装置が搭載されるとともに当該アンテナ装置により信号の無線送受信を行なう携帯無線電話端末装置等といった携帯無線通信装置に関し、特に、アンテナ装置からの電磁波放射（即ち、電波放射）の際の利用者の頭部への電磁波放射レベルを低減する技術に関する。
【背景技術】
【０００２】
近年、携帯無線通信装置の発達は目覚しいものがあり、その中でも携帯無線電話端末装置（例えば、いわゆる携帯電話機）は多機能化が進んでおり、音声通話機能以外にも、電子メール送受信やインターネット接続といったパケット通信機能、同時に音声および画像を送受信するテレビ電話機能、パソコンと接続して使用するデータ通信機能、等をも備えて構成されるようになってきている。
【０００３】
しかしながら、携帯無線電話端末装置の使用形態としては携帯無線電話端末装置を人体頭部に密着して行なう音声通話等がやはり主となろう。そのため、携帯無線電話端末装置に内蔵されるアンテナ装置は、アンテナ装置から人体頭部に向けて発せられる電磁波（即ち、電波）を良好に保つ必要がある（換言すれば、人体頭部に吸収される電磁波の電力量を安全な電力量に抑える必要がある）。
【０００４】
また、デジタルカメラ、デジタルビデオカメラ、等といった撮像装置によって得られた画像データ、音声データ、等の情報をその撮像装置に設けられた携帯無線通信装置を用いてパーソナルコンピュータ等の内蔵メモリまたは有線接続されない外部メモリやデータサーバに無線送信する際に当該撮像装置を人体頭部に近接して使用する場合も同様に、人体頭部に吸収される電磁波の電力量を低く抑える必要がある。
【０００５】
人体頭部に吸収される電磁波の電力量を示す指標としてＳＡＲ（Ｓｐｅｃｉｆｉｃ  Ａｂｓｏｒｐｔｉｏｎ  Ｒａｔｅ）があるが、近年ＳＡＲが各国で法制化され、関心が高まっている。しかし、携帯無線通信装置の小型化への要望やアンテナ全てを携帯無線通信装置に内蔵する要望は高く、よって良好なＳＡＲ特性を得るための設計難易度が高くなり、携帯無線通信装置の開発工数が膨大になっている。
【０００６】
携帯無線通信装置に内蔵されるアンテナ装置のＳＡＲ特性を良好に保つための従来の方法としては、アンテナ装置の送信アンテナ利得を下げること、あるいはアンテナ装置のアンテナと人体頭部との間の距離が大きくなる位置にアンテナ装置のアンテナを配置することによって、人体頭部に放射される電磁波の電力量を減少させる方法が一般に知られている。
【０００７】
しかしながら、携帯無線通信装置に内蔵されるアンテナ装置の送信アンテナ利得を下げるということは、アンテナ装置の受信アンテナ利得も下げることにつながり、無線信号の受信電力を低下させてしまうので、アンテナ装置（換言すれば、携帯無線通信装置）に本来求められる伝送品質が低下する可能性が非常に高い。
【０００８】
また、アンテナ装置のアンテナと人体頭部との間の距離が大きくなる位置にアンテナ装置のアンテナを配置する方法では、アンテナ装置（換言すれば、携帯無線通信装置）の小型化を妨げる大きな要因となる。
【０００９】
また、携帯無線通信装置の全ての使用形態において良好なＳＡＲ特性が得られる無線送信電力レベルの上限（即ち、閾値）を携帯無線通信装置内のメモリに記憶しておき、現在の無線送信電力レベルによって使用するアンテナを切り替えてＳＡＲ特性を良好に保つアンテナ装置も知られている（例えば、特許文献１参照）。
【００１０】
この特許文献１に開示されたアンテナ装置では、実際の無線送信電力レベルが閾値をまたぐ度にアンテナ切り替えが行なわれるため、送信電力制御等のベースバンド処理に支障をきたし、結果として、アンテナ装置（換言すれば、携帯無線通信装置）に本来求められる伝送品質を悪化させてしまう可能性が高い。
【００１１】
【特許文献１】特開２００３−２８３３９３号公報
【発明の開示】
【発明が解決しようとする課題】
【００１２】
本発明は、上記従来の事情に鑑みてなされたものであって、アンテナ装置の小型化ならびに当該アンテナ装置を搭載した携帯無線通信装置の小型化への大きな妨げになることなく、且つ伝送品質を損なうことなく、人体頭部への電磁波放射を低減できるアンテナ装置および当該アンテナ装置を搭載した携帯無線通信装置を提供することを目的としている。
【課題を解決するための手段】
【００１３】
本発明のアンテナ装置は、
携帯無線通信装置に搭載可能なアンテナ装置であって、
複数のアンテナからなるアンテナ群と、
前記アンテナ群の中から無線送受信に使用するアンテナを選択する選択手段と、
前記選択手段のアンテナ選択動作を制御する制御手段と、
前記アンテナ装置が人体頭部に近接しているかどうかを識別する識別手段と、
を備え、
前記制御手段が、前記識別手段による識別結果に基づいて、前記選択手段が前記使用するアンテナを選択するように前記選択手段へ制御信号を送出する。
この構成によれば、アンテナ装置（あるいは当該アンテナ装置が搭載された携帯無線通信装置）が人体頭部に近接していることおよびアンテナ装置（あるいは当該アンテナ装置が搭載された携帯無線通信装置）が人体頭部に近接していないことが識別手段により識別され、その識別手段による識別結果に基づいて制御手段がその際のアンテナ装置（あるいは当該アンテナ装置が搭載された携帯無線通信装置）の使用形態において最も有効なアンテナを選択することができる。従って、例えばアンテナ群を最大送信電力においても良好なＳＡＲ特性が得られるアンテナとＳＡＲ特性は良好ではないが送信アンテナ利得の高いアンテナとで構成すれば、アンテナ装置（あるいは当該アンテナ装置が搭載された携帯無線通信装置）が人体頭部に近接しているときに、最大送信電力においても良好なＳＡＲ特性が得られるアンテナに切り替え、そしてアンテナ装置（あるいは当該アンテナ装置が搭載された携帯無線通信装置）が人体頭部に近接していないときに、ＳＡＲ特性は良好ではないが送信アンテナ利得の高いアンテナに切り替えればよく、アンテナ装置のアンテナと人体頭部との間の距離が大きくなる位置にアンテナ装置のアンテナを配置する必要がないので、アンテナ装置の小型化および当該アンテナ装置を搭載した携帯無線通信装置の小型化への大きな妨げになることなく、且つ伝送品質を損なうことなく、人体頭部への電磁波放射を低減できる。
【００１４】
また、本発明のアンテナ装置は、そのアンテナ群が、前記人体頭部に吸収される電磁波の電力量が所定の基準電力量よりも小さいアンテナを少なくとも一つ含み、
前記制御手段が、前記アンテナ装置が前記人体頭部に近接していることが前記識別手段により識別された際、前記人体頭部に吸収される電磁波の電力量が所定の基準電力量よりも小さいアンテナを選択するように前記選択手段へ制御信号を送出することが好ましい。
この構成によれば、アンテナ装置（あるいは当該アンテナ装置が搭載された携帯無線通信装置）が人体頭部に近接していないときには全てのアンテナの中から最適なアンテナを選択することによって良好な伝送品質を維持でき、またアンテナ装置（あるいは当該アンテナ装置が搭載された携帯無線通信装置）が人体頭部に近接しているときには無線送信電力レベルによらず人体頭部に吸収される電磁波の電力量が所定の基準電力量よりも小さいアンテナを選択するので、送信アンテナ利得を下げる必要もなく、且つ頻繁なアンテナ切り替えによるベースバンド処理への影響も少なく、よって伝送品質を損なうことなく人体頭部に吸収される電磁波の基準電力量を満足することができる。
【００１５】
また、本発明のアンテナ装置は、
前記選択手段により選択されたアンテナによる信号の受信電力レベルを測定する測定手段と、
前記測定手段による受信電力レベルの測定結果を記憶する記憶手段と、
を更に備え、
前記制御手段は、前記アンテナ装置が前記人体頭部に近接していることが前記識別手段により識別された際、前記人体頭部に吸収される電磁波の電力量が所定の基準電力量よりも小さいアンテナの中から、前記記憶手段に記憶された測定結果において最も受信電力レベルの高いアンテナを選択するように前記選択手段へ制御信号を送出することが好ましい。
この構成によれば、アンテナ装置（あるいは当該アンテナ装置が搭載された携帯無線通信装置）が人体頭部に近接していないときには全てのアンテナのうち最も受信電力レベルの高いアンテナを選択し、そしてアンテナ装置（あるいは当該アンテナ装置が搭載された携帯無線通信装置）が人体頭部に近接しているときには人体頭部に吸収される電磁波の電力量が所定の基準電力量よりも小さいアンテナのうち最も受信電力レベルの高いアンテナを選択することができ、伝送品質を損なうことなく人体頭部に吸収される電磁波の基準電力量を満足することができる。
【００１６】
また、本発明の携帯無線通信装置は、
上述した本発明のアンテナ装置と、
前記使用するアンテナと電気的に接続され且つ当該アンテナを介して信号の無線送受信を行なう送受信部と、
を備える。
この構成によれば、携帯無線通信装置のアンテナ装置が人体頭部に近接していないときには全てのアンテナの中から最適なアンテナを選択することによって良好な伝送品質を維持でき、また携帯無線通信装置のアンテナ装置が人体頭部に近接しているときには無線送信電力レベルによらず人体頭部に吸収される電磁波の電力量が所定の基準電力量よりも小さいアンテナを選択するので、送信アンテナ利得を下げる必要もなく、且つ頻繁なアンテナ切り替えによるベースバンド処理への影響も少なく、よって伝送品質を損なうことなく人体頭部に吸収される電磁波の基準電力量を満足することができる。
【００１７】
また、本発明のアンテナ装置において、
前記識別手段は、前記使用するアンテナと電気的に接続され且つ当該アンテナを介して信号の無線送受信を行なう前記携帯無線通信装置の送受信部が音声通話状態であることを、前記アンテナ装置が前記人体頭部に近接していることとして検出するとともに前記制御手段に識別信号を送出し、そして前記制御手段が、その識別信号に従い前記人体頭部に吸収される電磁波の電力量が所定の基準電力量よりも小さいアンテナを選択するように前記選択手段へ制御信号を送出することが好ましい。
この構成によれば、アンテナ装置（あるいは当該アンテナ装置が搭載された携帯無線通信装置）を人体頭部に近接あるいは密着して行なう音声通話時に、人体頭部への電磁波放射を効果的に低減できる。
【００１８】
また、同様に、本発明の携帯無線通信装置において、
前記識別手段は、前記送受信部が音声通話状態であることを、前記携帯無線通信装置が前記人体頭部に近接していることとして検出するとともに前記制御手段に識別信号を送出し、そして前記制御手段が、その識別信号に従い前記人体頭部に吸収される電磁波の電力量が所定の基準電力量よりも小さいアンテナを選択するように前記選択手段へ制御信号を送出することが好ましい。
この構成によれば、アンテナ装置（あるいは当該アンテナ装置が搭載された携帯無線通信装置）を人体頭部に近接あるいは密着して行なう音声通話時に、人体頭部への電磁波放射を効果的に低減できる。
【００１９】
また、本発明の携帯無線通信装置が、近年世の中で非常に普及している携帯無線電話端末装置であると好ましい。この場合も、上記と同様、携帯無線電話端末装置の小型化への大きな妨げになることなく、且つ伝送品質を損なうことなく、人体頭部への電磁波放射を低減できる携帯無線電話端末装置を提供することができることは言うまでもない。
【発明の効果】
【００２０】
本発明によれば、アンテナ装置の小型化ならびに当該アンテナ装置を搭載した携帯無線通信装置の小型化への大きな妨げになることなく、且つ伝送品質を損なうことなく、人体頭部への電磁波放射を低減できるアンテナ装置および当該アンテナ装置を搭載した携帯無線通信装置を提供することができる。
【発明を実施するための最良の形態】
【００２１】
以下、本発明の好適な実施形態について、図面を参照しながら詳細に説明する。尚、ここでは、アンテナ装置を搭載した携帯無線通信装置の一例であり、近年世の中で非常に普及している携帯無線電話端末装置（例えば、いわゆる携帯電話機）に本発明を適用し、本発明に係るアンテナ装置および当該アンテナ装置を搭載した携帯無線通信装置の実施形態として説明する。
【００２２】
図１は本発明に係る携帯無線通信装置の第１実施形態（即ち、携帯無線電話端末装置１００）におけるシステム構成を示すブロック図、図２は本発明に係る携帯無線通信装置の第２実施形態（即ち、携帯無線電話端末装置２００）におけるシステム構成を示すブロック図、そして図３は本発明に係る携帯無線電話端末装置の正面図である。
【００２３】
［第１実施形態］
図１に示されるように、携帯無線電話端末装置１００は、アンテナ装置１０１と、送受信部１０２と、を備える。アンテナ装置１０１は、第１アンテナ１０３と、第２アンテナ１０４と、選択手段１０５と、制御手段１０６と、音声通話識別手段１０７と、を備える。
【００２４】
送受信部１０２は、第１アンテナ１０３および第２アンテナ１０４の中から選択手段１０５により選択されたアンテナを介して信号の無線送受信を行なう。
【００２５】
選択手段１０５は、制御手段１０６による電気制御に従い、無線送受信に使用するアンテナとして第１アンテナ１０３および第２アンテナ１０４のいずれか一方を選択するとともにその選択したアンテナと送受信部１０２とを電気的に接続する（即ち、無線送受信に使用するアンテナを第１アンテナ１０３および第２アンテナ１０４のいずれか一方に切り替える）。これにより、当該選択されたアンテナに入力された受信信号が送受信部１０２へ送られ、また送受信部１０２からの送信信号が当該選択されたアンテナへ送られ且つ該アンテナを介して無線送信される。尚、選択手段１０５は、例えば周知の半導体スイッチ等といった高周波スイッチを備えたものである。
【００２６】
音声通話識別手段１０７は、送受信部１０２を常時監視しながら送受信部１０２の音声通話状態と非音声通話状態とを識別するとともにその識別結果を示す識別信号を制御手段１０６に送出する。この音声通話識別手段１０７は、送受信部１０２の音声通話状態を携帯無線電話端末装置１００（アンテナ装置１０１）が人体頭部に近接していることとして検出する。
【００２７】
第１アンテナ１０３は、最大送信電力においても良好なＳＡＲ特性が得られるように設計されている。第２アンテナ１０４は、第１アンテナ１０３よりもＳＡＲ特性は良好でないがアンテナ利得の高いアンテナである。
【００２８】
制御手段１０６は、音声通話識別手段１０７からの識別信号を受信し、この識別信号に基づいて、無線送受信に使用するアンテナを第１アンテナ１０３および第２アンテナ１０４のいずれか一方に切り替えるように選択手段１０５へ制御信号を送出する。制御手段１０６は、送受信部１０２の非音声通話状態ではアンテナ利得の高い第２アンテナ１０４が選択手段１０５により選択されるように制御信号を出力する。これにより、受信電力レベルの低い悪環境においても、受信品質が良好に保たれる。他方、送受信部１０２が音声通話状態になると、制御手段１０６は、選択手段１０５に第１アンテナ１０３を選択させる制御信号を出力する。
【００２９】
上記実施形態においては、アンテナ自体のアンテナ利得を減少させることなく通話時におけるＳＡＲ値を良好な値に保つことができる。また、携帯無線電話端末装置１００（アンテナ装置１０１）と人体頭部との距離を大きく保つ必要がないため、アンテナ本数が増加すればするほど、携帯無線電話端末装置１００（アンテナ装置１０１）のサイズに対して大きなメリットがある。また、アンテナの切り替えが行なわれるのは音声通話状態の開始時のみであるため、送信電力制御等のベースバンド処理に悪影響をもたらすことも少なく、良好な通信品質を確保しつつ音声通話時のＳＡＲ値を良好な値に保つことが可能である。
【００３０】
尚、本実施形態においてはアンテナ本数が２本の場合について説明したが、アンテナ本数が３本以上であっても本発明は実施可能である。また、アンテナ本数がたとえ１本であっても、指向性制御等でＳＡＲ特性を制御する方式においては、アンテナを変更する代わりにアンテナ性能を変更することにより実施可能である。また、本実施形態では、音声通話識別手段１０７が送受信部１０２を監視することにより送受信部１０２の音声通話状態と非音声通話状態とを識別したが、その代わりに、携帯無線電話端末装置１００のベースバンド部（不図示）を監視することにより送受信部１０２の音声通話状態と非音声通話状態とを識別してもよいことは言うまでもない。
【００３１】
［第２実施形態］
次に、図２を参照しながら第２実施形態（携帯無線電話端末装置２００）について説明する。尚、図１に示した第１実施形態におけるブロックと同様の機能を有する図２のブロックには同じ符号を付して説明を簡略化あるいは省略する。
【００３２】
図２に示されるように、携帯無線電話端末装置２００は、アンテナ装置２０１と、送受信部１０２と、を備える。アンテナ装置２０１は、第１アンテナ１０３と、第２アンテナ１０４と、第１アンテナ１０３と同様に最大送信電力においても良好なＳＡＲ特性が得られるように設計されている第３アンテナ１０８と、選択手段１０５と、制御手段１０６と、音声通話識別手段１０７と、選択手段１０５により選択されたアンテナによる信号の受信電力レベルを送受信部１０２から測定する測定手段１０９と、測定手段１０９による受信電力レベルの測定結果を記憶する記憶手段１１０と、を備える。
【００３３】
測定手段１０９は、例えば送受信部１０２が第１アンテナ１０３、第２アンテナ１０４、および第３アンテナ１０８のうちいずれかを介して無線信号を受信している際の実際の受信電力レベルを測定し、そしてその測定結果を記憶手段１１０に記憶する（即ち、記憶手段１１０に記憶された該当するアンテナの受信電力レベルの測定結果を更新する）。
【００３４】
尚、第３アンテナ１０８、測定手段１０９、および記憶手段１１０を除き、この携帯無線電話端末装置２００の構成要素は、携帯無線電話端末装置１００と同様であり、それらの内容は容易に類推可能であるため、それらの説明は省略する。
【００３５】
携帯無線電話端末装置２００においては、非音声通話時には、第１アンテナ１０３、第２アンテナ１０４、および第３アンテナ１０８の中から最も受信電力レベルの高いアンテナを選択する。このため、伝送品質を良好に保つことができる。その上、携帯無線電話端末装置２００においては、音声通話時には、ＳＡＲ特性が良好な第１アンテナ１０３および第３アンテナ１０８の中から記憶手段１１０に記憶されている測定結果のうち受信電力レベルの高いアンテナを選択する。このため、音声通話時においても伝送品質を損なうことなくＳＡＲ特性を良好に保つことができる。また、ＳＡＲを低減させるためにアンテナ利得を下げる必要がないため伝送品質を損なうことがなく、また全てのアンテナがＳＡＲ特性を満足する必要がないため携帯無線電話端末装置２００の小型化が可能である。
【００３６】
尚、携帯無線電話端末装置２００においては、アンテナ本数を３本とし、そのうち良好なＳＡＲ特性を有するアンテナを２本としたが、本発明はこれに限定されるものではない。たとえアンテナが１本であっても、制御により複数の特性を有するアンテナとすれば、アンテナを切り替える代わりにアンテナ特性を切り替えることによって同様に実施可能である。また、一つ以上の特性をもったアンテナを複数備えた構成でも同様に実施可能である。
【００３７】
尚、測定手段１０９については各アンテナの受信電力レベルを送受信部１０２から検出するものとして説明したが、本発明はこれに限定されるものではなく、各アンテナのＲＳＳＩ（Ｒｅｃｅｉｖｅｄ Ｓｉｇｎａｌ Ｓｔｒｅｎｇｔｈ Ｉｎｄｉｃａｔｏｒ）、ＲＳＣＰ（Ｒｅｃｅｉｖｅｄ Ｓｉｇｎａｌ Ｃｏｄｅ Ｐｏｗｅｒ）、ＳＩＲ（Ｓｉｇｎａｌ−ｔｏ−Ｉｎｔｅｒｆｅｒｅｎｃｅ Ｒａｔｉｏ）、ＢＥＲ（Ｂｉｔ Ｅｒｒｏｒ Ｒａｔｅ）、ＢＬＥＲ（Ｂｌｏｃｋ Ｅｒｒｏｒ Ｒａｔｅ）等の伝送品質を表すパラメータを測定しても同様に実現可能である。
【００３８】
以上、本発明に係る携帯無線通信装置の第１実施形態（即ち、携帯無線電話端末装置１００）および第２実施形態（即ち、携帯無線電話端末装置２００）を説明したが、図３には、それらの外観例として携帯無線電話端末装置（以下、「携帯電話機」と記す。）１０が示される。
【００３９】
携帯電話機１０は、その本体に、数字や記号を含む文字を入力したり各種機能を選択したりする際に操作される操作部（キー操作部）１１と、該操作部１１を操作することにより生成された文字データ等を表示するための液晶表示装置等のディスプレイ装置１２と、音を発するためのスピーカー１３と、伸び縮み自在な外部アンテナ１４と、集音マイク１５と、内部アンテナ（不図示）と、を備えている。図１および図２に示される機能ブロックが示す回路等は携帯電話機１０の本体に収容される。尚、携帯電話機１０は、例えば図２に示される第２実施形態に基づくと、アンテナ群である第１アンテナ１０３、第２アンテナ１０４および第３アンテナ１０８を複数の内部アンテナ（不図示）とともに形成する外部アンテナ１４が設けられた形態であるが、複数の内部アンテナ（不図示）のみでアンテナ群を形成する形態であってもよいことは言うまでもない。
【００４０】
尚、本発明に係る携帯無線通信装置の第１実施形態（即ち、携帯無線電話端末装置１００）および第２実施形態（即ち、携帯無線電話端末装置２００）を説明するにあたり、人体頭部に吸収される電磁波の基準電力量の一例として携帯無線電話端末装置に適用される基準であるＳＡＲ特性を用い、また人体頭部へ近接している状態を示すものとして音声通話状態を例に挙げたが、本発明は、携帯無線電話端末装置に限定されるものではなく、更に音声通話状態に限定されるものでもなく、携帯無線通信装置を備え且つ人体頭部に近接して使用することが考えられ得る電子機器全てに対して適用可能である。例えば、従来の技術として説明したデジタルカメラ、デジタルビデオカメラ、等といった撮像装置で携帯無線通信装置を備えたものに対しても有効に適用可能である。
【産業上の利用可能性】
【００４１】
本発明のアンテナ装置および当該アンテナ装置を搭載した携帯無線通信装置は、アンテナ装置の小型化ならびに当該アンテナ装置を搭載した携帯無線通信装置の小型化への大きな妨げになることなく、且つ伝送品質を損なうことなく、人体頭部への電磁波放射を低減できるので、無線通信機能を備え且つ人体頭部に近接して使用することが考えられ得る電子機器全てに有用である。
【図面の簡単な説明】
【００４２】
【図１】本発明に係る携帯無線通信装置の第１実施形態におけるシステム構成を示すブロック図
【図２】本発明に係る携帯無線通信装置の第２実施形態におけるシステム構成を示すブロック図
【図３】本発明に係る携帯無線通信装置の一例である携帯無線電話端末装置の正面図
【符号の説明】
【００４３】
１００  携帯無線電話端末装置（携帯無線通信装置）
２００  携帯無線電話端末装置（携帯無線通信装置）
１０１  アンテナ装置
２０１  アンテナ装置
１０２  送受信部
１０３  第１アンテナ
１０４  第２アンテナ
１０５  選択手段
１０６  制御手段
１０７  音声通話識別手段（識別手段）
１０８  第３アンテナ
１０９  測定手段
１１０  記憶手段
【図１】
2006180193.tif 000003
【図２】
2006180193.tif 000004
【図３】
2006180193.tif 000005